(57)【要約】本発明のカテーテルは、管状部材と、ハブおよびロック装置を有するロック可能なコネクタと、を具備する。ロック装置は、半楕円形のボタンと、矩形の主操作部と、一対の突起物および受容穴を有する受容部と、突起物の１つに連結されたラッチ部と、を具備する。ハブは、ロック装置が挿入されるガイド穴と、ハブの内部へ向けて水平に形成された第１の本体通路と、を具備し、第１の本体通路はガイド穴に連通する。ロック装置は、適切なキーによってのみロック位置から解除することができる。このようにして、医師は、カテーテルのロック位置を確実にして患者を安全に治療することができる。管状部材の先端は、硬質の材料から作られ、カテーテルチューブを体腔に容易に挿入することができるように、二重接着構造物を有する。
2005525877.tif 000002
【特許請求の範囲】
【請求項１】
管状部材とロック装置とハブとからなるカテーテルであって、
前記ロック装置は、半楕円形のボタンと、前記ボタンの中心から垂直に延在し、矩形形状を有する主操作部と、一対の突起物および前記主操作部を受け入れる受容穴を有する受容部と、前記突起物の１つに連結され、前記突起物に対して外側に向けてわずかに傾斜するラッチ部とを具備し、
前記ハブは、前記ロック装置が挿入されるガイド穴と、前記ハブの内部へ向けて水平に形成され、前記ガイド穴に対して直角であり前記ガイド穴に連通する第１の本体通路とを具備することを特徴とするカテーテル。
【請求項２】
前記管状部材の先端は、ポリウレタンから作られる請求項１に記載のカテーテル。
【発明の詳細な説明】
【技術分野】
【０００１】
本発明は、カテーテルに関し、より詳細には、より容易にロックあるいはロック解除することができるロック装置を有するドレナージカテーテルに関する。加えて、本発明は、ドレナージカテーテルを体腔に容易に挿入することができるように、硬質の材料から作られたカテーテルの遠位端に関する。
【背景技術】
【０００２】
ドレナージカテーテルは、一般的に、疾病の症状を緩和するために、体腔たとえば腹腔から胆液または膿を排出するために使用される。ドレナージカテーテルは、遠位端に対向する近位端を有する管状部材と、引張部材と、ロック可能なコネクタと、を具備する。管状部材は、遠位端の近縁に位置決めされた一連の穴を含む。管状部材の遠位端は、閉鎖ループまたはピッグテール等の所望の構成に位置決めされるように形成される。引張部材は、中空の管状部材を通って延在し、遠位端を所望の構成に引き出すように位置決めされる。ロック可能なコネクタは、管状部材の近位端に連結されたハブと、ハブに連結されたロックレバーと、を具備する。ロックレバーは、所望のループ構成を維持することができるように、引張部材を完全に引いた後に引張部材の引き出し端をハブに固定する。ハブは連結端を有し、それを通ってチャネルが延在する。チャネルは、コネクタキャップによって管状部材に整列配置されこれに接続される。
【０００３】
図１は、従来のドレナージカテーテルとしてのカムロックドレナージカテーテルを示し、これは、管状部材（１’）の遠位端（１０’）のループ構成を任意に調整することができる。カムロックドレナージカテーテルは、ハブと、レバーの一方の端でカム表面をロック位置とロック解除位置との間に動かすためにハブのチャネルに旋回式に接続されたロックレバー（２１’）と、を有するロック可能なコネクタ（２’）を具備する。このようにして、患者は片手で容易にドレナージカテーテルを使用することができる。これらのカテーテルは、典型的に、大きな皮下注射針またはトロカールによって患者内に導入される。ワイヤガイドが針を通って挿入され、これは次いで除去される。中に位置決めされた剛化カニューレを備えた管状部材（１’）が、次いでワイヤガイド上を通って体腔内に入る。カニューレおよびワイヤガイドは引き抜かれ、カテーテルが所望の腔に残る。次いで、引張部材としてモノフィラメント（４’）の近位端が動かされるかまたは引き出されるかし、遠位端（１０’）を所望のループまたはピッグテール構成に形成する。次に、ロックレバー（２１’）が下方に引かれ、管状部材に対するモノフィラメントの位置を固定し、それによって所望のループ構成を維持する。ここで、モノフィラメント（４’）の突出端は、適切な長さを得るように切断されてもよい。ロックレバー（２１’）が上方に引かれるときには、レバーは適切な角度で回転し、モノフィラメントはロックレバー（２１’）から自動的に解放され、それによってピッグテール構成を解除する。加えて、可撓性のある遠位端のループ構成は、剛化カニューレをカテーテルチューブ内に挿入することによって遠位端をまっすぐにした後に、別の構成に再構成することができる。
【０００４】
従来のカムロックドレナージカテーテルは、ループ構成がその意図される用途によって維持されるように、旋回可能なロックレバーを有してモノフィラメントを適所に保持し、その後、医師は、カテーテルのロック可能なコネクタ（２’）を容易にロックしロック解除することができる。しかし、レバー（２１’）は、手術中に患者の動きまたは不注意のために任意に回転することもあり、したがって、モノフィラメントが遠位に動きピッグテール構成を解除することもある。加えて、カテーテルチューブの先端は、ポリアミド等の可撓性のある（または柔らかい）材料から作られるため、カテーテルチューブを血管内に挿入することは困難である。
【発明の開示】
【発明が解決しようとする課題】
【０００５】
したがって、本発明は、関連技術の限界および不利点による１つ以上の問題を実質的に未然に防ぐロック装置を備えたドレナージカテーテルに関する。
【０００６】
本発明の目的は、ロック装置を備えたドレナージカテーテルを提供することであり、それは、カテーテルチューブの遠位端を容易に所望の構成に形成することができ、遠位端のループ構成が手術中に不注意に解除されることを防ぎ、且つ、ロック装置のロック位置を容易に解除することができる。
【０００７】
本発明の別の目的は、体腔に容易に挿入することができるドレナージカテーテルを提供することである。
【課題を解決するための手段】
【０００８】
この目的および他の利点を達成するために且つ本発明の目的にしたがって、ここに具体化され広く説明されているように、本発明は、管状部材と、ハブおよびロック装置を有するロック可能なコネクタと、を具備するドレナージカテーテルを提供する。ロック装置は、半楕円形のボタンと、ボタンの中心から垂直に延在する矩形の主操作部と、一対の突起物および主操作部を受け入れる受容穴を有する受容部と、適切な角度で突起物の頂部に連結されたラッチ部と、を具備する。ハブは、ロック装置が挿入されるガイド穴と、ハブの内部へ向けて水平に形成された第１の本体通路と、を具備し、第１の本体通路はガイド穴に連通しこれに対して直角である。加えて、管状部材の先端は、カテーテルチューブを体腔内に容易に挿入することができるように、二重接着構造物を有する。
【０００９】
前述の一般的な説明および本発明の下記の詳細な説明の両方は、例示的で説明的なものであり、特許請求の範囲に記載されるような本発明のさらなる説明を提供するように意図されていることを理解すべきである。
【００１０】
本発明のさらなる目的および利点は、添付の図面と併せて下記の詳細な説明からより完全に理解することができる。
【発明を実施するための最良の形態】
【００１１】
次に、本発明の好適な実施の形態を詳細に参照するが、その例は、添付の図面に例示されている。
【００１２】
図２を参照すると、本発明のロックシステムは、半楕円形のボタン（２１０）を具備する。ボタンは、矩形形状の主操作部（２４０）に連結される。主操作部（２４０）の右側に、副操作部（２２０）が主操作部（２４０）に並んで位置決めされる。主操作部（２４０）の左側には、主操作部（２４０）の約１／６の長さの到着ガイド部（２５０）が、主操作部（２４０）に並んで位置決めされる。主操作部（２４０）の遠位端は、受容部（２３０）の受容穴（２３１）に挿入される。受容部（２３０）は、両側に一対の突起物（２３２および２３３）を有し、その一方は他方より長い。長い方の突起物（２３２）の頂部は、副操作部（２２０）の底部に接触する。ラッチ部（２６０）が短い方の突起物（２３３）に連結され、突起物（２３３）に対して外側に向けてわずかに傾斜している。ラッチ部（２６０）は、第１の捕捉突起（２６２）と、第１の捕捉突起（２６２）より上に位置決めされる第２の捕捉突起（２６３）と、を有する。第１の捕捉突起（２６２）は、第２の捕捉突起（２６３）よりも面積が広い。
【００１３】
図３は、ロック装置に連結されたハブの部分断面長手方向図を示し、これはロック位置にある。図３を参照すると、本発明によるハブ（２）は、第１の本体通路（２３）と、第２の本体通路（２４）と、第３の本体通路（２５）と、ガイド穴（２６）と、入力穴（２７）と、を具備する。第１の本体通路（２３）は、ハブの内部へ向けて水平に形成される。ガイド穴（２６）は、ハブ内に垂直に形成される。ガイド穴（２６）は、第１の本体通路（２３）に連通し、これに対して垂直である。第２の本体通路（２４）は、ガイド穴（２６）の底部の中央から垂直に下方に形成される。入力穴（２７）は、ハブから外側に向けて突出し、第３の本体通路（２５）に水平に連結される。言い換えると、入力穴（２７）は、第３の本体通路（２５）に連通する。ロック装置（２０）は、ハブのガイド穴（２６）に挿入される。
【００１４】
図３に示されるように、カテーテルの管状部材（１）は、ネジ山を切った遠位コネクタ端およびコネクタキャップを通ってハブ（２）に連結される。モノフィラメント（４）は、第１の本体通路（２３）と、ロック装置（２０）とガイド穴（２６）との間のギャップ（２８’）と、第２の本体通路（２４）と、第３の本体通路（２５）と、を経由して、中空の管状部材（１）を通って延在する。第３の本体通路（２５）は、モノフィラメント（４）が管状部材を通って延在することができるように、遠位コネクタ端を通って管状部材（１）に接続される。
【００１５】
図４は、本発明によるロック可能なコネクタを有するドレナージカテーテルを示す。
医師が、本発明によるカテーテルを使用して患者を治療するときには、医師はまず、カテーテルの遠位端が位置決めされる患部の適切な場所と、カテーテル路と、を決定する。医師は、患部に麻酔をかけ切開した後に、カテーテルを切開部内に挿入する準備をする。大きな皮下注射針またはトロカールが患者内に導入され、ワイヤガイドが針を通って挿入され、これは次いで除去される。剛化カニューレが、入力穴（２７）および第３の本体通路（２５）を経由して管状部材（１）に挿入される。画像診断を行うために、たとえばトロカール方式を使用して、適切な液体が投入される。中に位置決めされた剛化カニューレを備えた管状部材は、ワイヤガイド上を通って腔内に入る。カニューレおよびワイヤガイドは引き抜かれ、カテーテルが所望の腔に残る。
【００１６】
次いで、モノフィラメントが引き出され、カテーテルチューブの遠位端を所望の構成に構成する。カテーテルのピッグテールループは、モノフィラメントの近位端を引くことよって締められ、それはカテーテルを通って延在する。カテーテルチューブの所望の構成は、この手順を繰り返して行うことによって形成することができる。続いて、所望の構成を形成した後に、ロック装置（２０）のボタン（２１０）が押されて、管状部材に対するモノフィラメントの位置が固定され、それによって所望のループ構成を維持する。ボタン（２１０）が押されるときには、ラッチ部（２６０）の第２の捕捉突起（２６３）がハブ（２）の第１の本体通路（２３）の上部部分に捕捉されるまで、ロック装置（２０）は、ハブ（２）のガイド穴（２６）に沿って下方へ動く。第２の捕捉突起（２６３）が第１の本体通路（２３）の上部部分に捕捉されるときには、ロック装置（２０）とガイド穴（２６）との間のギャップ（２８）が狭くなるため、モノフィラメントが適所に保持される。結果として、ロック装置（２０）がロック位置にあるときには、モノフィラメント（４）は動かず、それによって所望のループ構成を維持する。
【００１７】
ループ構成を調整するためにロック装置（２０）のロック位置を解除するには、適切なキーが使用される。ユーザが適切なキーを第１の本体通路（２３）に挿入し、ロック装置（２０）のラッチ部（２６０）を強く押すと、ラッチ部（２６０）は後方へ曲がり、したがって、第２の捕捉突起（２６３）は第１の本体通路（２３）の上部部分から離れる。それに応じて、ロック装置（２０）はロック位置から解除される。
【００１８】
本発明のドレナージカテーテルを使用する際には、ロック装置は適切なキーによってのみロック位置を解除することができる。このようにして、医師は、カテーテルのロック位置を確実にして患者を安全に治療することができ、手術中に患者の動きによってロック位置が不注意に解除されるのを防止することができる。
【００１９】
加えて、カテーテルを体腔に挿入する際に、剛化カニューレがカテーテルチューブの遠位端（１０）から逸脱しないように、カテーテルの管状部材（１）の先端はポリウレタンから作られ、二重接着処理によって形成される。
【産業上の利用可能性】
【００２０】
このようにして、本発明によるロック可能なドレナージカテーテルは、カテーテルの所望のループ構成を維持し且つカテーテルのロック位置を容易に解除することができる。特に、ロック装置を備えたロック可能なカテーテルは、患部の手術中に医師の面倒を省くことができるため、医療器具または医療機器として便利に使用することができる。
【図面の簡単な説明】
【００２１】
【図１】ロックレバーを有する従来のドレナージカテーテルである。
【図２】本発明によるロック装置の断面図である。
【図３】本発明によるロック装置に連結されたハブ断面の長手方向図である。
【図４】本発明によるロック可能なコネクタを有するドレナージカテーテルである。
【符号の説明】
【００２２】
１  カテーテルチューブ
２  ロック可能なコネクタ
４  モノフィラメント
１０  カテーテルチューブの遠位端
２０  ロック装置
２３  第１の本体通路
２４  第２の本体通路
２５  第３の本体通路
２６  ガイド穴
２７  入力穴
２１０  ボタン
２３０  受容穴
２４０  主操作部
２６０  ラッチ部
【図１】
2005525877.tif 000003
【図２】
2005525877.tif 000004
【図３】
2005525877.tif 000005
【図４】
2005525877.tif 000006
【国際調査報告】
2005525877.tif 000007
2005525877.tif 000008